(57)【要約】    【課題】被介護者によるベッド子機からの呼び出しが報知される呼出先の無線端末を、ベッド子機が有する個別の識別子に応じて容易に設定変更可能とする。    【解決手段】被介護者により使用されるベッド子機１ａ、１ｂ、１ｃ、・・・の呼出信号発生部１００にて生成される呼出信号に付与されている当該ベッド子機が有する固有の識別子に対応した無線端末４ａ、４ｂ、４ｃ、・・・の端末番号を、制御装置７のテーブル７００を参照して指定する。    【選択図】図１
2008006198.tif 000002
【特許請求の範囲】
【請求項１】
病院や老人福祉施設等の各病床に設置され被介護者が看護者を呼び出すためのベッド子機（１ａ、１ｂ、１ｃ、・・・）及びベッドサイドに設置され前記ベッド子機に着脱自在に接続されるプレート子機（２ａ、２ｂ、２ｃ、・・・）と、前記ベッド子機からの呼び出しを確認した前記看護者が応答するためのナースコール親機（３）及び前記看護者により携行される個別の端末番号を有する無線端末（４ａ、４ｂ、４ｃ、・・・）と、前記無線端末との間で無線通信を行うための無線基地局（５）と、前記プレート子機、前記ナースコール親機及び前記無線基地局をそれぞれ制御するための制御装置（７）とを設け、
前記ベッド子機は、前記ベッド子機が有する固有の識別子が付与された呼出信号を生成するための呼出信号発生部（１００）を備え、
前記制御装置は、前記識別子が付与された呼出信号に応じて、前記識別子が付与された前記ベッド子機に対応する前記無線端末の端末番号を指定し、前記ベッド子機からの呼び出しを当該無線端末に報知するためのテーブル（７００）を備えたことを特徴とするナースコールシステム。
【請求項２】
病院や老人福祉施設等の各病床に設置され被介護者が看護者を呼び出すためのベッド子機（１１ａ、１１ｂ、１１ｃ、・・・）及びベッドサイドに設置され前記ベッド子機に着脱自在に接続されるプレート子機（１２ａ、１２ｂ、１２ｃ、・・・）と、前記ベッド子機からの呼び出しを確認した前記看護者が応答するためのナースコール親機（３）及び前記看護者により携行される個別の端末番号を有する無線端末（４ａ、４ｂ、４ｃ、・・・）と、前記無線端末との間で無線通信を行うための無線基地局（５）と、前記プレート子機、前記ナースコール親機及び前記無線基地局をそれぞれ制御するための制御装置（７）とを設け、
前記ベッド子機は、前記ベッド子機が有する固有の識別子に応じて作成された形状のプラグ（１１０ａ、１１０ｂ、１１０ｃ、・・・）を備え、
前記プレート子機は、前記ベッド子機のプラグを接続するためのレセプタクル（２１０）を備え、
前記プレート子機は、前記ベッド子機のプラグの形状に対応して、前記ベッド子機が有する固有の識別子が付与された呼出信号を生成するための呼出信号発生部（２１３）を備え、
前記制御装置は、前記識別子が付与された呼出信号に応じて、前記識別子が付与された前記ベッド子機に対応する前記無線端末の端末番号を指定し、前記ベッド子機からの呼び出しを当該無線端末に報知するためのテーブル（７００）備えたことを特徴とするナースコールシステム。
【請求項３】
前記テーブルは、前記制御装置に代えて、前記ナースコール親機及びサーバ（６）の一方に備えられることを特徴とする請求項１又は請求項２記載のナースコールシステム。
【発明の詳細な説明】
【技術分野】
【０００１】
本発明は、病院や老人福祉施設等に設置されるナースコールシステムに係り、特に、被介護者によるベッド子機からの呼び出しが報知される無線端末の設定変更機能を備えたナースコールシステムに関する。
【背景技術】
【０００２】
従来から、この種のナースコールシステムとして、ナースコール子機から携帯端末への呼出先及び呼出先の携帯端末にて表示させる子機番号情報を容易に変更可能とするとともに、変更した呼出先を表示可能なナースコール装置が開示されている（例えば、特許文献１を参照）。
【０００３】
このナースコール装置によれば、夜間時等に看護業務を遂行する看護人、例えば、看護婦（看護師）の数が少ない場合において、病床の患者からの緊急呼び出しに対して迅速な対応が可能である。
【０００４】
【特許文献１】特開２００２−１５３５２５号公報（段落番号「００１６」乃至「００３６」、第１図乃至第４図）
【発明の開示】
【発明が解決しようとする課題】
【０００５】
背景技術に記載した特許文献１のナースコール装置によれば、特定のナースコール子機からの呼び出しが報知される携帯端末を変更するにあたって、ナースコール親機が有する呼出先設定テーブルを参照して第１の呼出先変更スイッチを手動操作せねばならず、煩雑な作業が必要であり、設定ミスも発生し易かった。
【０００６】
本発明は、この難点を解消するためになされたもので、被介護者によるベッド子機からの呼び出しが報知される呼出先の無線端末を、ベッド子機が有する固有の識別子に応じて容易に設定変更することができるナースコールシステムを提供することを目的としている。
【課題を解決するための手段】
【０００７】
前述の目的を達成するため、本発明の第１の態様であるナースコールシステムは、病院や老人福祉施設等の各病床に設置され被介護者が看護者を呼び出すためのベッド子機及びベッドサイドに設置されベッド子機に着脱自在に接続されるプレート子機と、ベッド子機からの呼び出しを確認した看護者が応答するためのナースコール親機及び看護者により携行される個別の端末番号を有する無線端末と、無線端末との間で無線通信を行うための無線基地局と、プレート子機、ナースコール親機及び無線基地局をそれぞれ制御するための制御装置とを設けたものである。ベッド子機は、ベッド子機が有する固有の識別子が付与された呼出信号を生成するための呼出信号発生部を備えたものである。制御装置は、識別子が付与された呼出信号に応じて、識別子が付与されたベッド子機に対応する無線端末の端末番号を指定し、ベッド子機からの呼び出しを無線端末に報知するためのテーブルを備えたものである。
【０００８】
また、本発明の第２の態様であるナースコールシステムは、病院や老人福祉施設等の各病床に設置され被介護者が看護者を呼び出すためのベッド子機及びベッドサイドに設置されベッド子機に着脱自在に接続されるプレート子機と、ベッド子機からの呼び出しを確認した看護者が応答するためのナースコール親機及び看護者により携行される個別の端末番号を有する無線端末と、無線端末との間で無線通信を行うための無線基地局と、プレート子機、ナースコール親機及び無線基地局をそれぞれ制御するための制御装置とを設けたものである。ベッド子機は、ベッド子機が有する固有の識別子に応じて作成された形状のプラグを備えたものである。プレート子機は、ベッド子機のプラグを接続するためのレセプタクルを備えたものである。プレート子機は、ベッド子機のプラグの形状に対応して、ベッド子機が有する固有の識別子が付与された呼出信号を生成するための呼出信号発生部を備えたものである。制御装置は、識別子が付与された呼出信号に応じて、識別子が付与されたベッド子機に対応する無線端末の端末番号を指定し、ベッド子機からの呼び出しを無線端末に報知するためのテーブルを備えたものである。
【０００９】
また、本発明の第３の態様であるナースコールシステムは、第１の態様又は第２の態様において、テーブルは、制御装置に代えて、ナースコール親機及びサーバの一方に備えられるものである。
【発明の効果】
【００１０】
本発明のナースコールシステムによれば、被介護者により使用されるベッド子機の呼出信号発生部にて生成される呼出信号、又はベッド子機のプラグの形状に対応してプレート子機の呼出信号発生部にて生成される呼出信号に付与されているベッド子機が有する固有の識別子に対応した無線端末の端末番号を、制御装置のテーブルを参照して指定することにより、ベッド子機からの呼び出しが報知される呼出先の無線端末を、煩雑な作業を必要とせず当該ベッド子機を交換することのみで、ベッド子機が有する固有の識別子に応じて容易に設定変更することができ、設定ミスの発生が抑えられる。また、テーブルは、制御装置に代わって、ナースコール親機及びサーバの一方に備えることができ、設置場所の自由度が高められる。
【発明を実施するための最良の形態】
【００１１】
以下、本発明のナースコールシステムを適用した最良の形態の実施例について、図面を参照して説明する。
【００１２】
図１、図２は、本発明の第１、第２の各実施例によるナースコールシステムの全体構成をそれぞれ示すシステム説明図である。このナースコールシステムは、病院や老人福祉施設等に設置されるものであり、ベッド子機１ａ、１ｂ、１ｃ、・・・、１１ａ、１１ｂ、１１ｃ、・・・及びプレート子機２ａ、２ｂ、２ｃ、・・・、１２ａ、１２ｂ、１２ｃ、・・・と、ナースコール親機３と、無線端末４ａ、４ｂ、４ｃ、・・・と、無線基地局５と、サーバ６と、制御装置７とが設けられている。
【００１３】
制御装置７には、子機ラインＬ1を経由してプレート子機２ａ、２ｂ、２ｃ、・・・、１２ａ、１２ｂ、１２ｃ、・・・がバス接続されている。また、制御装置７には、親機ラインＬ2を経由してナースコール親機３が接続されている。また、制御装置７には、基地局ラインＬ3を経由して無線基地局５が接続されている。また、制御装置７には、サーバラインＬ4を経由してサーバ６が接続されている。なお、プレート子機２ａ、２ｂ、２ｃ、・・・、１２ａ、１２ｂ、１２ｃ、・・・及び制御装置７の間の接続は、前述のバス接続の形態に限定されるものではなく、例えば、渡り配線の接続であってもよい。
【００１４】
次に、本発明の第１の実施例によるナースコールシステムにおいて、当該システムの各機器の構成について説明する。図１に示すベッド子機１ａ、１ｂ、１ｃ、・・・はそれぞれ同様な構成であり、病室等の各病床に設置され、被介護者、例えば、患者が、看護者、例えば、ナースコール親機３が設置されたナースセンターに在室中の看護師や、無線端末４ａ、４ｂ、４ｃ、・・・をそれぞれ携行している巡回中の看護師のうち担当の看護師に対して、通常のナースコール呼び出し、トイレ介助を求めるトイレ呼び出し、点滴の終了を知らせる確認呼び出し等、呼出種別毎で異なる呼出操作を行うためのものである。このベッド子機１ａ、１ｂ、１ｃ、・・・には、当該ベッド子機毎、固有の識別子、ここでは、「Ａ」、「Ｂ」、「Ｃ」、・・・が付与された呼出信号を生成するための呼出信号発生部１００と、プレート子機２ａ、２ｂ、２ｃ、・・・のうち何れか１の当該プレート子機に自ベッド子機を着脱自在に接続するためのプラグ１０１とがそれぞれ備えられている。
【００１５】
プレート子機２ａ、２ｂ、２ｃ、・・・はそれぞれ同様な構成で個別の子機番号（詳述せず。）を有しており、各病床の所定の位置、例えば、ベッドサイドに設置され、自プレート子機に着脱自在で接続可能なベッド子機１ａ、１ｂ、１ｃ、・・・からの呼び出しを呼出種別毎に検出するとともに、患者が看護師との間で通話を成立させるためのものである。このプレート子機２ａ、２ｂ、２ｃ、・・・には、ベッド子機１ａ、１ｂ、１ｃ、・・・のプラグ１０１が着脱自在に接続可能なレセプタクル２００と、患者が看護師との間で通話を成立させるにあたり、通話音声（送話音声、受話音声）を入出力するための通話部（以下、子機通話部という。）２０１とがそれぞれ備えられている。
【００１６】
ナースコール親機３は、ベッド子機１ａ、１ｂ、１ｃ、・・・から伝送されてくる呼出信号を受信して所定の呼出報知を行い、この呼出報知を確認した看護師が応答して患者との間で通話を成立させるためのものである。このナースコール親機３には、ベッド子機１ａ、１ｂ、１ｃ、・・・を使用して呼出操作を行った患者からの呼び出しを、呼出種別毎異なるパターンで報知するための報知部（以下、親機報知部という。）３００と、看護師が患者との間で通話を成立させるにあたり、通話音声（送話音声、受話音声）を入出力するための通話部（以下、親機通話部という。）３０１とが備えられている。なお、ナースコール親機３の設置台数は、１台に限定されるものではなく、任意に複数台設置することができる。
【００１７】
無線端末４ａ、４ｂ、４ｃ、・・・はそれぞれ同様な構成で個別の端末番号、ここでは、「００１」、「００２」、「００３」、・・・を有しており、ベッド子機１ａ、１ｂ、１ｃ、・・・から伝送されてくる呼出信号を受信して所定の呼出報知を行い、この呼出報知を確認した看護師が応答して患者との間で通話を成立させるためのものである。この無線端末４ａ、４ｂ、４ｃ、・・・には、ベッド子機１ａ、１ｂ、１ｃ、・・・を使用して呼出操作を行った患者からの呼び出しを、呼出種別毎異なるパターンで報知するための報知部（以下、端末報知部という。）４００と、看護師が患者との間で通話を成立させるにあたり、通話音声（送話音声、受話音声）を入出力するための通話部（以下、端末通話部という。）４０１とがそれぞれ備えられている。
【００１８】
無線基地局５は、無線端末４ａ、４ｂ、４ｃ、・・・との間で無線通信を行うためのものである。なお、無線基地局５の設置台数は、１台に限定されるものではなく、任意に複数台設置することができる。
【００１９】
サーバ６は、患者から看護師への呼出・通話履歴、患者の看護履歴、担当区分等の患者情報が保存されるものであり、例えば、オーダリングシステムから当該患者情報を得るためのパーソナルコンピュータが好適とされる。
【００２０】
制御装置７は、子機ラインＬ1を経由して接続されたプレート子機２ａ、２ｂ、２ｃ、・・・、親機ラインＬ2を経由して接続されたナースコール親機３、基地局ラインＬ3を経由して接続された無線基地局５、サーバラインＬ4を経由して接続されたサーバ６をそれぞれ制御するためのものである。この制御装置７には、ベッド子機１ａ、１ｂ、１ｃ、・・・を使用して呼出操作を行った患者からの呼び出しが報知される呼出先の無線端末４ａ、４ｂ、４ｃ、・・・に該当した端末番号を指定するために参照する図５の説明図に示す構成のテーブル７００が備えられている。
【００２１】
次に、本発明の第１の実施例において適用されるプレート子機２ａ、２ｂ、２ｃ、・・・の具体的な構成について、図３のブロック図を参照して説明する。プレート子機２ａ、２ｂ、２ｃ、・・・はそれぞれ同様な構成であり、相互に接続された前述のレセプタクル２００及び子機通話部２０１と、制御部２０２と、インターフェース（以下、Ｉ／Ｆという。）２０３とが備えられている。
【００２２】
このプレート子機２ａ、２ｂ、２ｃ、・・・において、制御部２０２は、当該プレート子機の構成各部／回路をそれぞれ制御するためのものであり、レセプタクル２００にプラグ１０１が着脱自在に接続されたベッド子機１ａ、１ｂ、１ｃ、・・・からの呼び出しがあることを呼出種別毎に検出するとともに、子機通話部２０１を能動（動作開始）／非能動（動作停止）にするための機能が備えられている。
【００２３】
Ｉ／Ｆ２０３は、子機通話部２０１及び子機ラインＬ1の間の信号伝送路（通話路）、制御部２０２及び子機ラインＬ1の間の信号伝送路をそれぞれ形成するためのものである。
【００２４】
このように構成された本発明の第１の実施例によるナースコールシステムにおいて、以下、具体的な動作について、図１、図３及び図５をそれぞれ参照して説明する。
【００２５】
図１に示すベッド子機１ａ、１ｂ、１ｃ、・・・のうち、例えば、ベッド子機１ａを、プレート子機２ａ、２ｂ、２ｃ、・・・のうち何れか１の当該プレート子機、ここでは、プレート子機２ａに着脱自在で接続するにあたり、ベッド子機１ａのプラグ１０１をプレート子機２ａのレセプタクル２００に接続して固定した後において、このベッド子機１ａがベッドサイドに設置されている患者が、看護者、例えば、ナースコール親機３が設置されたナースセンターに在室中の看護師や、無線端末４ａ、４ｂ、４ｃ、・・・をそれぞれ携行している巡回中の看護師のうち担当の看護師を呼び出して通話を成立させるために、ベッド子機１ａを使用して呼出種別毎で異なる呼出操作、ここでは、通常のナースコール呼び出しのための呼出操作を行うと、この操作を検出したベッド子機１ａの呼出信号発生部１００は、自ベッド子機に割り当てられている固有の識別子「Ａ」及びナースコール呼び出しを示す呼出種別情報が付与された呼出信号Ｓ1を生成する。この呼出信号Ｓ1は、ベッド子機１ａのプラグ１０１が接続されたプレート子機２ａのレセプタクル２００を経由して、図３に示す制御部２０２に伝送される。
【００２６】
プレート子機２ａの制御部２０２は、受信した呼出信号Ｓ1に付与されている識別子「Ａ」及び呼出種別情報をもとに、自プレート子機に着脱自在で接続されている当該ベッド子機がベッド子機１ａであり、このベッド子機１ａを使用した患者からの通常のナースコール呼び出しがあることを検出する。また、プレート子機２ａの制御部２０２は、呼出信号Ｓ1に自プレート子機が有する子機番号を付与させた呼出信号Ｓ2を生成する。この呼出信号Ｓ2は、制御部２０２からＩ／Ｆ２０３、子機ラインＬ1を経由して制御装置７と、制御部２０２からＩ／Ｆ２０３、子機ラインＬ1、プレート子機２ａを除く他のプレート子機２ｂ、２ｃ、・・・のＩ／Ｆ２０３を経由して制御部２０２とにそれぞれ伝送される。
【００２７】
なお、プレート子機２ａを除く他のプレート子機２ｂ、２ｃ、・・・の制御部２０２はそれぞれ、受信した呼出信号Ｓ2が制御装置７からの出力信号でないため、この呼出信号Ｓ2が無効であると判断する。
【００２８】
制御装置７は、受信した呼出信号Ｓ2に付与されている識別子「Ａ」、呼出種別情報及び子機番号をもとに、プレート子機２ａに着脱自在で接続されている当該ベッド子機がベッド子機１ａであり、このベッド子機１ａを使用した患者からの通常のナースコール呼び出しがあることを検出する。また、制御装置７は、受信した呼出信号Ｓ2を、親機ラインＬ2を経由してナースコール親機３に転送する。さらに、制御装置７は、前述の識別子「Ａ」に対応して図５に示すテーブル７００に予め記憶されている呼出先の端末番号、ここでは、無線端末４ａを指定するための端末番号「００１」を読み出し、読み出された端末番号「００１」、前述の呼出種別情報及び子機番号を付与させた端末呼出信号Ｓ3を生成する。この端末呼出信号Ｓ3は、制御装置７から基地局ラインＬ3を経由して無線基地局５に伝送される。なお、制御装置７は、ベッド子機１ａを使用した患者からの通常のナースコール呼び出しがある旨の呼出履歴情報を、サーバラインＬ4を経由して接続されたサーバ６に保存することができる。
【００２９】
ナースコール親機３は、受信した呼出信号Ｓ2に付与されている識別子「Ａ」、呼出種別情報及び子機番号をもとに、プレート子機２ａに着脱自在で接続されている当該ベッド子機がベッド子機１ａであり、このベッド子機１ａを使用した患者からの通常のナースコール呼び出しがあることを検出し、親機報知部３００を使用して所定の呼出報知を行うことができる。
【００３０】
無線基地局５は、受信した端末呼出信号Ｓ3を無線信号に信号処理した後、無線端末４ａ、４ｂ、４ｃ、・・・にそれぞれ送出する。無線端末４ａ、４ｂ、４ｃ、・・・はそれぞれ、受信した端末呼出信号Ｓ3に付与されている端末番号「００１」と自端末が有する当該端末番号とを照合して、一致した場合にのみ同様に付与されている呼出種別情報及び子機番号をもとに、プレート子機２ａに着脱自在で接続されている当該ベッド子機がベッド子機１ａであり、このベッド子機１ａを使用した患者からの通常のナースコール呼び出しがあることを検出し、端末報知部４００を使用して所定の呼出報知を行う。ここでは、無線端末４ａのみ端末番号が「００１」で一致し、端末報知部４００を使用して所定の呼出報知を行うことができる。
【００３１】
次に、ナースコール親機３の親機報知部３００を使用して行われた所定の呼出報知を確認したナースセンターに在室中の看護師と、無線端末４ａの端末報知部４００を使用して行われた所定の呼出報知を確認した巡回中である担当の看護師のうち、最先に応答した看護師、例えば、ナースセンターに在室中の看護師がナースコール親機３を使用して所定の応答操作を行うと、このナースコール親機３の親機通話部３０１と、親機ラインＬ2、制御装置７、子機ラインＬ1、プレート子機２ａのＩ／Ｆ２０３を経由して子機通話部２００との間の通話路が形成され、形成された通話路を経由して音声信号を送受信させることで通話が成立する。
【００３２】
一方、巡回中である担当の看護師が無線端末４ａを使用して所定の応答操作を行うと、この無線端末４ａの端末通話部４０１と、無線基地局５、基地局ラインＬ3、制御装置７、子機ラインＬ1、プレート子機２ａのＩ／Ｆ２０３を経由して子機通話部２００との間の通話路が形成され、形成された通話路を経由して音声信号を送受信させることで通話が成立する。
【００３３】
前述までの説明から明らかなように、本発明の第１の実施例によれば、被介護者により使用されるベッド子機１ａ、１ｂ、１ｃ、・・・の呼出信号発生部１００にて生成される呼出信号に付与されている当該ベッド子機が有する固有の識別子に対応した無線端末４ａ、４ｂ、４ｃ、・・・の端末番号を、制御装置７のテーブル７００を参照して指定することにより、ベッド子機１ａ、１ｂ、１ｃ、・・・からの呼び出しが報知される呼出先の無線端末４ａ、４ｂ、４ｃ、・・・を、煩雑な作業を必要とせず当該ベッド子機を交換することのみで、ベッド子機１ａ、１ｂ、１ｃ、・・・が有する固有の識別子に応じて容易に設定変更することができ、設定ミスの発生を抑えられる。
【００３４】
次に、本発明の第１の実施例と同様な効果を奏する本発明の第２の実施例によるナースコールシステムにおいて、当該システムの各機器の構成について説明する。なお、前述の第１の実施例と同様に適用される機器の構成については、その説明を省略するものとする。図２に示すベッド子機１１ａ、１１ｂ、１１ｃ、・・・はそれぞれ同様な構成であり、病室等の部屋内の各病床に設置され、被介護者、例えば、患者が、看護者、例えば、ナースコール親機３が設置されたナースセンターに在室中の看護師や、無線端末４ａ、４ｂ、４ｃ、・・・をそれぞれ携行している巡回中の看護師のうち担当の看護師に対して、通常のナースコール呼び出し、トイレ介助を求めるトイレ呼び出し、点滴の終了を知らせる確認呼び出し等、呼出種別毎で異なる呼出操作を行うためのものである。このベッド子機１１ａ、１１ｂ、１１ｃ、・・・には、当該ベッド子機が有する固有の識別子、ここでは、前述の第１の実施例と同様、「Ａ」、「Ｂ」、「Ｃ」、・・・に応じて作成された形状のプラグ、例えば、凸部を１個有するプラグ１１０ａ、凸部を２個有するプラグ１１０ｂ、凸部を３個有するプラグ１１０ｃ、・・・がそれぞれ備えられている。
【００３５】
プレート子機１２ａ、１２ｂ、１２ｃ、・・・はそれぞれ同様な構成で個別の子機番号（詳述せず。）を有しており、各病床の所定の位置、例えば、ベッドサイドに設置され、自プレート子機に着脱自在で接続可能なベッド子機１１ａ、１１ｂ、１１ｃ、・・・からの呼び出しを呼出種別毎で検出するとともに、患者が看護師との間で通話を成立させるためのものである。このプレート子機１２ａ、１２ｂ、１２ｃ、・・・には、ベッド子機１１ａ、１１ｂ、１１ｃ、・・・のプラグ１１０ａ、１１０ｂ、１１０ｃ、・・・の形状の相違を問わずして、当該プラグが着脱自在に接続可能なレセプタクル２１０と、患者が看護師との間で通話を成立させるにあたり、通話音声（送話音声、受話音声）を入出力するための子機通話部２１１とがそれぞれ備えられている。
【００３６】
次に、プレート子機１２ａ、１２ｂ、１２ｃ、・・・の具体的な構成について、図４のブロック図を参照して説明する。プレート子機１２ａ、１２ｂ、１２ｃ、・・・はそれぞれ同様な構成であり、相互に接続された前述のレセプタクル２１０及び子機通話部２１１と、プラグ形状検出部２１２と、呼出信号発生部２１３と、制御部２１４と、Ｉ／Ｆ２１５とが備えられている。
【００３７】
このプレート子機１２ａ、１２ｂ、１２ｃ、・・・において、プラグ形状検出部２１２は、レセプタクル２１０に着脱自在で接続されたベッド子機１１ａ、１１ｂ、１１ｂ、・・・のプラグ１１０ａ、１１０ｂ、１１０ｃ、・・・の形状を検出するためのものである。
【００３８】
呼出信号発生部２１３は、プラグ形状検出部２１２にて検出されたプラグ１１０ａ、１１０ｂ、１１０ｃ、・・・の形状に対応して、ベッド子機１１ａ、１１ｂ、１１ｃ、・・・からの呼び出しがあることを示す当該ベッド子機が有する固有の識別子「Ａ」、「Ｂ」、「Ｃ」、・・・が付与された呼出信号を生成するためのものである。
【００３９】
制御部２１４は、当該プレート子機の構成各部／回路をそれぞれ制御するためのものであり、レセプタクル２１０にプラグ１１０ａ、１１０ｂ、１１０ｃ、・・・が着脱自在に接続されたベッド子機１１ａ、１１ｂ、１１ｃ、・・・からの呼び出しがあることを呼出種別毎に検出するとともに、呼出信号発生部２１３にて呼出信号を生成させ、さらには、子機通話部２１１を能動（動作開始）／非能動（動作停止）にするための機能が備えられている。
【００４０】
Ｉ／Ｆ２１５は、子機通話部２１１及び子機ラインＬ1の間の信号伝送路（通話路）、呼出信号発生部２１３から子機ラインＬ1への信号伝送路、制御部２１４及び子機ラインＬ1の間の信号伝送路をそれぞれ形成するためのものである。
【００４１】
このように構成された本発明の第２の実施例によるナースコールシステムにおいて、以下、具体的な動作について、図２、図４及び図５をそれぞれ参照して説明する。
【００４２】
凸部の個数が１個、２個、３個、・・・のように、その形状が異なる図２に示すプラグ１１０ａ、１１０ｂ、１１０ｃ、・・・をそれぞれ有するベッド子機１１ａ、１１ｂ、１１ｃ、・・・のうち、例えば、凸部の個数が２個のプラグ１１０ｂを有するベッド子機１ｂを、プレート子機１２ａ、１２ｂ、１２ｃ、・・・のうち何れか１の当該プレート子機、ここでは、プレート子機１２ｂに着脱自在で接続するにあたり、ベッド子機１ｂのプラグ１１０ｂをプレート子機１２ｂのレセプタクル２１０に接続して固定すると、この接続状態を検出した図４に示すプレート子機１２ｂのプラグ形状検出部２１２は、レセプタクル２１０に着脱自在で接続された当該プラグの形状が２個の凸部を有する旨の形状情報Ｓ10を生成して制御部２１４に送出する。
【００４３】
次に、ベッド子機１ｂがベッドサイドに設置されている患者が、看護者、例えば、ナースコール親機３が設置されたナースセンターに在室中の看護師や、無線端末４ａ、４ｂ、４ｃ、・・・をそれぞれ携行している巡回中の看護師のうち担当の看護師を呼び出して通話を成立させるために、ベッド子機１ｂを使用して呼出種別毎で異なる所定の呼出操作、ここでは、通常のナースコール呼び出しのための呼出操作を行うと、この操作を検出したプレート子機１２ｂの制御部２１４は、呼出信号発生部２１３を制御して、プラグ形状検出部２１２からの形状情報Ｓ10に割り当てられているベッド子機１ｂが有する固有の識別子「Ｂ」に自プレート子機が有する子機番号及び通常のナースコール呼び出しを示す呼出種別情報を付与した呼出信号Ｓ11を生成させる。また、プレート子機１２ｂの呼出信号発生部２１３にて生成された呼出信号Ｓ11は、Ｉ／Ｆ２１５、子機ラインＬ1を経由して制御装置７と、Ｉ／Ｆ２１５、子機ラインＬ1、プレート子機１２ｂを除く他のプレート子機１２ａ、１２ｃ、・・・のＩ／Ｆ２１５を経由して制御部２１４とにそれぞれ伝送される。
【００４４】
なお、プレート子機１２ｂを除く他のプレート子機１２ａ、１２ｃ、・・・の制御部２１４はそれぞれ、前述の第１の実施例と同様、受信した呼出信号Ｓ11が制御装置７からの出力信号でないため、この呼出信号Ｓ11が無効であると判断する。
【００４５】
制御装置７は、受信した呼出信号Ｓ11に付与されている識別子「Ｂ」、呼出種別情報及び子機番号をもとに、プレート子機１２ｂのレセプタクル２１０に着脱自在で接続されたプラグ１１０ｂを有するベッド子機１１ｂを使用して所定の呼出操作を行った患者からの通常のナースコール呼び出しがあることを検出する。また、制御装置７は、プレート子機１２ｂから伝送されてきた呼出信号Ｓ11を、親機ラインＬ2を経由してナースコール親機３に転送する。さらに、制御装置７は、前述の識別子「Ｂ」に対応して図５に示すテーブル７００に予め記憶されている呼出先の端末番号、ここでは、無線端末４ｂを指定するための端末番号「００２」を読み出し、読み出された端末番号「００２」、前述の呼出種別情報及び子機番号を付与させた端末呼出信号Ｓ12を生成する。この端末呼出信号Ｓ12は、制御装置７から基地局ラインＬ3を経由して無線基地局５に伝送される。なお、制御装置７は、ベッド子機１１ｂを使用した患者からの通常のナースコール呼び出しがある旨の呼出履歴情報を、サーバラインＬ4を経由して接続されたサーバ６に保存することができる。
【００４６】
ナースコール親機３は、受信した呼出信号Ｓ11に付与されている識別子「Ｂ」、呼出種別情報及び子機番号をもとに、プレート子機１２ｂに着脱自在で接続されている当該ベッド子機がベッド子機１１ｂであり、このベッド子機１１ｂを使用した患者からの通常のナースコール呼び出しがあることを検出し、親機報知部３００を使用して所定の呼出報知を行うことができる。
【００４７】
無線基地局５は、受信した端末呼出信号Ｓ12を無線信号に信号処理した後、無線端末４ａ、４ｂ、４ｃ、・・・にそれぞれ送出する。無線端末４ａ、４ｂ、４ｃ、・・・はそれぞれ、受信した端末呼出信号Ｓ12に付与されている端末番号「００２」と自端末が有する当該端末番号とを照合して、一致した場合にのみ同様に付与されている呼出種別情報及び子機番号をもとに、プレート子機１２ｂに着脱自在で接続されている当該ベッド子機がベッド子機１１ｂであり、このベッド子機１１ｂを使用した患者からの通常のナースコール呼び出しがあることを検出し、端末報知部４００を使用して所定の呼出報知を行う。ここでは、無線端末４ｂのみ端末番号が「００２」で一致し、端末報知部４００を使用して所定の呼出報知を行うことができる。
【００４８】
なお、ナースコール親機３の親機報知部３００を使用して行われた所定の呼出報知を確認したナースセンターに在室中の看護師と、無線端末４ｂの端末報知部４００を使用して行われた所定の呼出報知を確認した巡回中である担当の看護師のうち、最先に応答した看護師と、ベッド子機１１ｂを使用して通常のナースコール呼び出しを行った患者との間で成立される通話は、前述の第１の実施例とその動作が同様であるため、説明は省略するものとする。
【００４９】
前述までの説明から明らかなように、本発明の第２の実施例によれば、被介護者により使用されるベッド子機１１ａ、１１ｂ、１１ｃ、・・・のプラグ１１０ａ、１１０ｂ、１１０ｃ、・・・の形状に対応してプレート子機１２ａ、１２ｂ、１２ｃ、・・・の呼出信号発生部２１３にて生成される呼出信号に付与されている当該ベッド子機が有する固有の識別子に対応した無線端末４ａ、４ｂ、４ｃ、・・・の端末番号を、制御装置７のテーブル７００を参照して指定することにより、ベッド子機１１ａ、１１ｂ、１１ｃ、・・・からの呼び出しが報知される呼出先の無線端末を、煩雑な作業を必要とせず当該ベッド子機を交換することのみで、ベッド子機１１ａ、１１ｂ、１１ｃ、・・・が有する固有の識別子に応じて容易に設定変更することができ、設定ミスの発生が抑えられる。
【００５０】
なお、前述までの本発明の第１、第２の各実施例によれば、テーブル７００が備えられる機器として制御装置７を適用したが、この態様に限定されるものではない。例えば、制御装置７に代わって、ナースコール親機３及びサーバ６の一方にテーブル７００を備えることができ、テーブル７００の設置場所の自由度が高められる。
【００５１】
また、前述までの本発明の第１、第２の各実施例によれば、患者が看護師との間で通話を成立させるための機能である通話部を子機通話部２０１、２１１として、プレート子機２ａ、２ｂ、２ｃ、・・・、１２ａ、１２ｂ、１２ｃ、・・・にそれぞれ備えた場合について説明したが、この態様に限定されるものではない。例えば、プレート子機２ａ、２ｂ、２ｃ、・・・、１２ａ、１２ｂ、１２ｃ、・・・に代わって、ベッド子機１ａ、１ｂ、１ｃ、・・・、１１ａ、１１ｂ、１１ｃ、・・・に子機通話部２０１、２１１を備えることができる。
【００５２】
本発明のナースコールシステムにおいては、特定の実施の形態をもって説明してきたが、この形態に限定されるものでなく、本発明の効果を奏する限り、これまで知られた如何なる構成のナースコールシステム、例えば、プレート子機及び制御装置の間を接続する子機ラインの線路上に廊下灯を設けたナースコールシステムや、無線基地局及び制御装置の間を接続する基地局ラインの線路上にＰＢＸ等の交換機を設けたナースコールシステムであっても採用できるということはいうまでもないことである。
【図面の簡単な説明】
【００５３】
【図１】本発明の第１の実施例によるナースコールシステムの全体構成を示すシステム説明図。
【図２】本発明の第２の実施例によるナースコールシステムの全体構成を示すシステム説明図。
【図３】本発明の第１の実施例において適用されるプレート子機の具体的な構成を示すブロック図。
【図４】本発明の第２の実施例において適用されるプレート子機の具体的な構成を示すブロック図。
【図５】本発明の第１、第２の各実施例において適用されるテーブルの構成を示す説明図。
【符号の説明】
【００５４】
１ｂ、１ｂ、１ｃ、・・・ ……ベッド子機
１００……呼出信号発生部
２ｂ、２ｂ、２ｃ、・・・ ……プレート子機
３……ナースコール親機
４ａ、４ｂ、４ｃ、・・・ ……無線端末
５……無線基地局
６……サーバ
７……制御装置
７００……テーブル
１１ａ、１１ｂ、１１ｃ、・・・ ……ベッド子機
１１０ａ、１１０ｂ、１１０ｃ、・・・ ……プラグ
１２ａ、１２ｂ、１２ｃ、・・・ ……プレート子機
２１０……レセプタクル
２１３……呼出信号発生部
【図１】
2008006198.tif 000003
【図２】
2008006198.tif 000004
【図３】
2008006198.tif 000005
【図４】
2008006198.tif 000006
【図５】
2008006198.tif 000007